(57)【特許請求の範囲】
【請求項１】
内部機器を収納するケースと、
前記内部機器の操作が行えるようケース前面側に組み合わされるカバーと、
該カバーに対して回動自在に取付けられ、該カバーの前面を覆うドアとを備えて構成される分電盤であって、
前記ドアには、
該ドアの周縁部に設けられた軸受部により回動自在に軸支されてヒンジ機構を構成する第一の回動部材を設ける一方、
前記ドアと組み合わされるカバーには、
前記第一の回動部材が取付けられる被取付部が該カバーの周縁部に設けられ、
前記第一の回動部材と被取付部には、前記ドアとカバーの取付時に互いに係合して被取付部に対しての前記第一の回動部材の位置決めとなる位置決め部が、
前記第一の回動部材から被取付部に向けて突出形成された突出片と、
前記カバーの被取付部において前記突出片が差し込まれるよう形成された穴部とが形成されて設けられるとともに、
被取付部にはねじ貫通部、第一の回動部材にはねじ取付け用の穴が設けられ、
第一の回動部材が前記カバー裏面側からねじ締めされて、カバーの前記被取付部に固着される一方、前記突出片の端部に、該突出片の延設方向と直角の方向に外方に向けて形成された突起部が設けられるとともに、
突出片を前記穴部に差し込んだ場合に前記突起部が前記穴部を貫通する程度に突出片が延設されて設けられ、
前記突出片を前記被取付部に設けられた穴部に差し込む際、前記突起部が穴部内面に摺動しながら差し込まれることにより、前記裏面側からのねじ締めの際に、前記回動部材が前記穴部から脱落しないようカバー側に保持されることを特徴とする分電盤。
【発明の詳細な説明】
【技術分野】
【０００１】
本発明は、住宅や店舗等における分電盤に関し、特に、分電盤のキャビネットを構成するカバーとドアの取付け構造に関する。
【背景技術】
【０００２】
分電盤は、キャビネットの内部に、主開閉器、該主開閉器の二次側に接続される母線、該母線と各々接続される分岐開閉器などの内部機器を組み込んだもので、住宅等における電路の引込口装置として用いられている。適用される電路は、通常、交流５０Ｈｚ又は６０Ｈｚの単相２線式電路（１００Ｖ）、もしくは単相３線式電路（１００／２００Ｖ）が印加される電路である。
【０００３】
前記キャビネットは、分電盤の外郭を構成するもので、一般的に、前記内部機器を取付ける中底を取付け固定し、分電盤の上下左右の側面及び背面を覆う壁を形成するケースと、内部機器の操作面側に臨む前面側を覆うよう前記ケース前面側に設けられるカバーとを備えて構成される（例えば、特許文献２  図４）。
【０００４】
また、分電盤の中には、前記カバーの前面側に、該カバーの前面を覆うように、前記ケースやカバー等に蝶番により支持され、開閉できるよう設けられたドアが備えられたものがある（例えば、特許文献１  図３）。このように分電盤には、大別してドア付きのものと、ドアなしのものがある。
【０００５】
さて、分電盤の設置場所は、クローゼットや造作家具内など予め設けられた収納スペースに設置する場合と、台所、玄関、トイレなど収納スペースを特に設けない場所に設置する場合とがある。特に、マンション等集合住宅においては、分電盤の施工現場にて個々の住居毎に設置場所が定められる場合が多い。このため、施工業者等が予め発注していた分電盤に対して、施工現場にてドア付きタイプの分電盤からドアなしタイプの分電盤に変更する場合や、ドアなしタイプの分電盤からドア付タイプの分電盤に変更する場合が生ずることがあり、施工現場にて変更が必要になった分電盤に対して、不足する部品の調達を改めて行っていた。
【先行技術文献】
【特許文献】
【０００６】
【特許文献１】特開平９−２７１１１２号公報
【特許文献２】特開２００６−８１３０７号公報
【発明の概要】
【発明が解決しようとする課題】
【０００７】
さて、分電盤のドアは、前記ケースやカバー等に蝶番により予め一体に固着されており、ドアなしタイプのものからドア付きタイプのものに変更する場合は、分電盤に既に取付けられているカバーを取り外したうえ、ドア付のカバーに交換する必要があった。また、ドア付きタイプのものからドアなしタイプのものに変更する場合は、分電盤に既に取付けられているドア付きのカバーを取り外したうえ、ドアの付いていないカバーに交換する必要があった。
【０００８】
このように、実際に施工する分電盤のタイプ（ドア付き／ドアなし）は、施工現場において最終的に定まることがある。このため、施工業者は、施工現場にて実際の取付けタイプに応じた分電盤のカバーやドア付きのカバーを改めて調達する必要があった。調達する部品は、交換部品としてメーカー等から別途提供されるが、部品の調達のためにメーカーに再注文を行う手間がかかるとともに、組み換えに係る手間が発生していた。
【０００９】
また、一旦取り外したカバーや、ドア付きのカバーは、内部機器の種類の違いや回路数の違いにより、再利用されることはなく、廃棄の対象となっていた。これに伴い、廃棄処理される部品類の処分に係る環境負荷が増加する要因となっていた。
【００１０】
そこで、本発明は、上記課題に鑑みてなされたもので、分電盤におけるドアなしタイプのカバーならびにドア付きタイプのカバーにおける共用化が図れ、分電盤の施工現場における組み換え手間が軽減できるとともに、なおかつ廃棄処理される部品類を低減し得る分電盤を提供することを目的とする。
【課題を解決するための手段】
【００１１】
本発明に係る分電盤の構造は、上述の課題を解決すべく構成されたもので、内部機器を収納するケースと、前記内部機器の操作が行えるようケース前面側に組み合わされるカバーと、該カバーに対して回動自在に取付けられ、該カバーの前面を覆うドアとを備えて構成される分電盤であって、前記ドアには、該ドアの周縁部に設けられた軸受部により回動自在に軸支されてヒンジ機構を構成する第一の回動部材を設ける一方、前記ドアと組み合わされるカバーには、前記第一の回動部材が取付けられる被取付部が該カバーの周縁部に設けられ、前記第一の回動部材と被取付部には、前記ドアとカバーの取付時に互いに係合して被取付部に対しての前記第一の回動部材の位置決めとなる位置決め部が、前記第一の回動部材から被取付部に向けて突出形成された突出片と、前記カバーの被取付部において前記突出片が差し込まれるよう形成された穴部とが形成されて設けられるとともに、被取付部にはねじ貫通部、第一の回動部材にはねじ取付け用の穴が設けられ、第一の回動部材が前記カバー裏面側からねじ締めされて、カバーの前記被取付部に固着される一方、前記突出片の端部に、該突出片の延設方向と直角の方向に外方に向けて形成された突起部が設けられるとともに、突出片を前記穴部に差し込んだ場合に前記突起部が前記穴部を貫通する程度に突出片が延設されて設けられ、前記突出片を前記被取付部に設けられた穴部に差し込む際、前記突起部が穴部内面に摺動しながら差し込まれることにより、前記裏面側からのねじ締めの際に、前記回動部材が前記穴部から脱落しないようカバー側に保持されることを特徴として構成するとよい。
【００１２】
かかる構成によれば、ドアにヒンジ構造を有して設けられる第一の回動部材と、カバーとが、それぞれ位置決めされて、カバー裏面側からねじ締めにより固着されるから、ドア付きタイプのカバーからドアなしタイプのカバーに変更する場合、また、ドアなしタイプのカバーからドア付きタイプのカバーに変更する場合に容易に変更作業を行うことができる。
即ち、ドア付きタイプのカバーからドア部分のみを取り外すことにより簡易にドアなしタイプのカバーに変更することができる。一方、ドアなしタイプのカバーにドア部分を取り付けることにより、簡易にドア付きタイプのカバーに変更することができる。
【００１３】
このように、ドア部分のみを取り外し、または取付けすることにより、ドア付きタイプの分電盤のカバーとドアなしタイプの分電盤のカバーの共用化が図れ、また、施工現場での組み替え作業が軽減できるとともに、廃棄される部品類そのものの低減が図れるから、廃棄処理に係る環境負荷を低減させることができる。
【００１４】
削除
【００１５】
また、前記突出片が第一の回動部材から被取付部に向けて突出形成されているから、ドアとカバーの位置を概ね合わせたうえで、ドアをカバーの方向に押し合わせることにより、突出片が穴部に差し込まれ、第一の回動部材が被取付部の所定の位置に位置合わせされる。これにより施工現場での組み替え作業に係る手間が軽減でき、作業効率を向上させることができる。
【００１６】
削除
【００１７】
また、ドアとカバーの位置合わせの際に、カバーにドアを保持させることができるから、ねじ締め作業の際に、ドアを手などで保持しておく必要がなく、施工現場での組み替え作業に係る手間がより軽減できる。
【発明の効果】
【００１８】
以上の如く、本発明によれば、分電盤におけるドアなしタイプのカバーならびにドア付きタイプのカバーにおける共用化が図れ、分電盤の施工現場における組み換え手間が軽減できるとともに、なおかつ廃棄処理される部品類を低減し得る分電盤を提供することができる。
【図面の簡単な説明】
【００１９】
【図１】第１の実施形態を示す分電盤の前面側からみた斜視図を示す。
【図２】同実施形態に係るドアを閉めた状態の斜視図を示す。
【図３】同実施形態に係るカバーとドアを取付けるときの背面側からの斜視図を示す。
【図４】同実施形態に係るカバーとドアを取付けるときの前面側からの斜視図を示す。
【図５】同実施形態に係るカバーの要部背面図を示す。
【図６】同実施形態に係るドアを取付けるときの説明図を示す。
【図７】同実施形態に係るドアを取付けたときの背面側からの斜視図を示す。
【図８】同実施形態に係るヒンジ構造部分の拡大図を示す。
【図９】同実施形態に係るヒンジ構造部分の拡大図を示す。
【図１０】従来の分電盤を表わした図を示す。
【図１１】従来の分電盤を表わした図を示す。
【発明を実施するための形態】
【００２０】
次に本発明の実施形態を図１乃至図９を用いて詳細に説明する。
【００２１】
（分電盤の概要説明）
第１の実施形態に係る分電盤１００は、単相３線式の商用電路に用いられるものである。該分電盤は、キャビネットの内部に、電流制限器１０１、主開閉器１０２、該主開閉器１０２の二次側において接続部材を介して接続される母線、該母線と各々接続される分岐開閉器１０３等の内部機器を収納するものであり、これら内部機器は中底に取付けられて、キャビネットに固定取付けされる。
【００２２】
前記キャビネットは、分電盤１００の外郭を構成するもので、一般的に、前記内部機器を取付ける中底が取付け固定され分電盤の上下左右の側面及び背面を覆う壁を形成するケース１１０と、内部機器の操作面側に臨む前面側を覆うよう前記ケース１１０前面側に設けられるカバー１２０とを備えて構成される。また、前記カバー１２０の前面側には、閉まった状態で前記カバー１２０の前面を覆うようにヒンジ構造を有して開閉できるよう設けられたドア１３０が備えられている。図１にはドア付きタイプの分電盤として、前記ドア１３０を開けた状態の分電盤１００を示し、図２には前記ドア１３０を閉めた状態の分電盤１００を示している。
【００２３】
前記ドア１３０とカバー１２０とは、該ドア１３０及びカバー１２０の周縁部に、分電盤１００に臨んで左右方向に離間して設けられたヒンジ構造部１３００を介して開閉自在に取り付けられている。図３乃至図５に、カバー１２０とドア１３０における前記ヒンジ構造部１３００の拡大図を示している。
【００２４】
前記ヒンジ構造部１３００は、ドア１３０側に設けられたヒンジ機構を構成する第一の回動部材１３１０と、該第一の回動部材１３１０が取り付けられるカバー１２０側に設けられた被取付部１２１から構成される。
【００２５】
まず、ドア１３０側に設けられたヒンジ機構部分について説明を行う。ドア１３０には、該ドア１３０の周縁部に左右方向に離間して第一の回動部材１３１０が設けられている。
第一の回動部材１３１０は、略円柱状に形成された基部の中央部分に回動軸となる軸が貫通される穴が形成され、前記ドアに設けられた軸受部１３１１に貫通される軸部材により回動自在に軸支されてドアに一体的に取り付けられる。
【００２６】
第一の回動部材１３１０には、カバー１２０の方向に向けて突出形成された２つの突出片１３１２ａ、１３１２ｂと、カバー１２０側からねじにより固着するための２つのねじ取付用の穴１３１３が設けられている。
【００２７】
次に、カバー１２０側に設けられて前記第一の回動部材１３１０が取付けられる被取付部１２１について説明を行う。カバー１２０には、該カバー１２０の周縁部に、前記第一の回動部材１３１０と対向する位置に対応させて設けられる被取付部１２１が設けられている。前記被取付部１２１は、カバー１２０の前面側から凹ませて形成された凹み部１２２に設けられている。
【００２８】
被取付部１２１には、カバー１２０の前面側から背面側に貫通して設けられた孔が並設されている。該孔は、前記第一の回動部材１３１０における突出片１３１２が前面側から貫通される孔部と、前記第一の回動部材１３１０をねじ止め固着するためのねじが貫通される孔部がそれぞれ設けられている。前記突出片１３１２と前記孔部とが係合することにより被取付部１２１に対しての前記第一の回動部材１３１０の位置決めとなる位置決め部が形成されている。前記孔部のうち、並設方向における内側の孔部がねじが貫通されるねじ貫通部１２１２ａであり、外寄りの孔部が突出片１３１２が貫通される位置決め部１２１１ａ、１２１１ｂである。他方、１２１３で示される孔部は、カバー前面側における通気口として形成された孔部である。
【００２９】
図７に、カバー１２０とドア１３０を組み付けた図を示す。図のように、被取付部１２１において、突出片１３１２ａ、１３１２ｂが、位置決め部１２１１ａ、１２１１ｂに貫通されて係合され、カバー１２０におけるドア１３０の位置決めを行うことができる。作業者は、ねじ貫通部１２１２ａにねじを当て嵌めドライバー等により締め付けを行うことにより、ドアを所定の位置に固着することができる。
【００３０】
また、カバー１２０背面側においては、ねじの座が収まるよう円形状に形成された部分が設けられている。カバーの背面側から位置決め部に臨んだ場合には孔部が並設されているが、ねじの座を表す円形状の部分が形成されているため、第一の回動部材１３１０をねじ締めする際にねじ貫通位置を明示的に表すことができるため、位置決め用の他の孔部等と区別が容易になり、作業者にとってねじ締め部分を把握しやすい構造となっている。
【００３１】
また、図６に説明のためにドア１３０を除いた図を示しているが、第一の回動部材１３１０には、略円柱状の基部から円周方向に突設された回動保持部１３１４が形成されている。該回動保持部１３１４は、後述するドア保持部材１３２の係合部１３２１と係合して、ドア１３０を開状態に保持するための突設部である。
【００３２】
ドア保持部材１３２は、略コの字形状に折り曲げ形成された基部の両端部において、第一の回動部材１３１０と共に軸支されるよう、該第一の回動部材１３１０の軸受け部両端に位置する軸受部１３２２を備えるとともに、基部からドア方向に突出形成されてドア内側に窪んで設けられたドア保持部材収納部１３０２に差し込まれる差込片１３２４と、基部から前記第一の回動部材１３１０の円周に沿って突出されるとともに屈曲形成される係合部１３２１とを備えて構成されている。
【００３３】
前記ドア保持部材１３２は、金属板を折り曲げ加工することにより形成している。カバー１２０、ドア１３０並びに第一の回動部材１３１０は樹脂材料で形成されており、ドアを開状態に保持するために、ドア１３０と第一の回動部材１３１０、カバー１２０の被取付部１２１付近には、局所的に大きな応力が加わる。この応力に耐え得るように、ドア保持部材１３２を金属により形成するとともに、ドア１３０と第一の回動部材１３１０、ドア保持部材１３２の軸受部に共に共通する軸を貫通させて、ドア開閉時や開状態保持時に受ける力を受け止める構造としている。
【００３４】
ドア開状態時においては、前記係合部１３２が前記回動保持部１３１４の突設部に係合することにより、ドアの自重を支える。前記係合部１３２１は第一の回動部材１３１０の円周方向にに沿って形成されているため、ドアを閉めるときには、ドアが閉状態の方向に力を加えていくと、係合部１３２１が徐々に撓み、回動保持部１３１４の突設部を乗り越えるように変形して、ドアが閉状態となる。ドアを開状態にするときには、ドアが開く方向に力を加えていくと、係合部１３２１がだんだんと回動保持部１３１４を乗り越えていき、手を離しても、係合部１３２１が回動保持部１３１４に係合されて保持される。
【００３５】
また、前記第一の回動部材１３１０における突出片１３１２は、カバー１２０に設けられた位置決め部１２１１を貫通するものであるが、前記突出片１３１２の端部に、該突出片の延設方向と直角の方向に外方に向けて形成された突起部を設けて構成してもよい。
【００３６】
また、前記突出片１３１２を前記穴部に差し込んだ場合に、前記突起部が前記穴部を貫通する程度に突出片１３１２が延設されて設けることにより、前記突起部が穴部内面を摺動しながら差し込まれることにより、カバー１２０とドア１３０の嵌合保持がより強固に行え、カバー１２０の裏面側からのねじ締めの際に、前記回動部材が前記穴部から脱落しにくくなることにより、ドア１３０をカバー１２０にねじ締め固着する際の作業効率がより向上する。
【００３７】
尚、本発明は、上記実施形態に限定されるものではなく、本発明の要旨を逸脱しない範囲で種々の変更が可能である。
【００３８】
例えば、本発明のケース構造を用いた分電盤は、単相３線式の商用電路の他、単相２線式の電路や三相３線式の電路他に用いることができる。また、分電盤の他、標準盤のケースに適用したり、一般的な樹脂製のケースに代えて金属性のケースに適用することができる。
【００３９】
また、例えば、第一の実施形態において、並設させて設けた孔部の数を増減させて設けることができる。孔部の数を増やすとともに、第一の回動部材における突設片の数を増やすことにより、ドアを保持するための強度をより向上させることができる。また、通気口としての機能を増すことができる。一方、孔部の数並びに第一の回動部材における突設片の数を減らした場合には、位置決めのし易さ、前記強度が低下することが挙げられるが、分電盤の回路数が少なく、キャビネットの大きさが小型の場合には、ドアの自重も減少するため必要十分な程度に減少させて設けることができる。また、ドア保持部材を樹脂材料にて形成することも可能である。
【符号の説明】
【００４０】
１００  分電盤
１１０  ケース
１２０  カバー
１３０  ドア
１０１  電流制限器
１０２  主開閉器
１０３  分岐開閉器
１２１  被取付部
１２２  凹み部
１２１１ａ  位置決め部
１２ａａｂ  位置決め部
１２１２ａ  ねじ貫通部
１２１３  孔
１３００  ヒンジ構造部
１３０２  ドア保持部材収納部
１３１０  第一の回動部材
１３１１  軸受部
１３１２ａ  突出片
１３１２ｂ  突出片
１３１３  ねじ孔
１３２  ドア保持部材
１３２１  係合部
１３２２  軸受部
１３２３  腕部
１３２４  差込片
【図１】
0005747405.tif 000002
【図２】
0005747405.tif 000003
【図３】
0005747405.tif 000004
【図４】
0005747405.tif 000005
【図５】
0005747405.tif 000006
【図６】
0005747405.tif 000007
【図７】
0005747405.tif 000008
【図８】
0005747405.tif 000009
【図９】
0005747405.tif 000010
【図１０】
0005747405.tif 000011
【図１１】
0005747405.tif 000012